(57)【要約】【課題】一対の壁パネルの屈折部を支柱部材の開口部に差し込みやすく、且つ差し込まれた壁パネルを強固に固定することのできるパネル連結構造を提供する。【解決手段】浴室の一側壁を形成し、側縁に屈折部が形成される複数のパネルと、前記複数のパネルのうち、一対のパネルを支持する支柱部材と、を備える浴室壁パネルの連結構造であって、前記屈折部は、前記一対のパネルの各々が合わさる側面部と、前記側面部の奥側の先端から折り曲げられる奥面部と、を有し、前記一対のパネルが前記側面部で合わさる状態で、前記一対のパネルおよび前記支柱部材の上部で、前記一対のパネルの各々の前記奥面部と、前記支柱部材と、を固定する補強部材と、を備えたことを特徴とする。【選択図】図３
2010077687.tif 000002
【特許請求の範囲】
【請求項１】
浴室の一側壁を形成し、側縁に屈折部が形成される複数のパネルと、
前記複数のパネルのうち、一対のパネルを支持する支柱部材と、
を備える浴室壁パネルの連結構造であって、
前記屈折部は、前記一対のパネルの各々が合わさる側面部と、前記側面部の奥側の先端から折り曲げられる奥面部と、を有し、
前記一対のパネルが前記側面部で合わさる状態で、前記一対のパネルおよび前記支柱部材の上部で、前記一対のパネルの各々の前記奥面部と、前記支柱部材と、を固定する補強部材と、
を備えたことを特徴とする浴室壁パネルの連結構造。
【請求項２】
前記支柱部材外方の上部に固定される取付け部材と、
を備え、
前記補強部材は、前記一対のパネルが前記側面部で合わさる状態で、前記一対のパネルおよび前記支柱部材並びに前記取付け部材の上部で、前記一対のパネルの各々の前記奥面部と、前記取付け部材と、を前記支柱部材を介して固定する
ことを特徴とする請求項１に浴室壁パネルの連結構造。
【請求項３】
前記支柱部材は、前記取付け部材に固定される前記取付け部材に臨む平坦な第１面部と、前記第１面部の両端の各々から前記取付け部材とは反対側に延出される第２面部と、前記第２面部の先端の各々を、間に開口部が形成されるように内側に折返して成る第３面部と、を有する断面が形成されており、
前記補強部材は、前記一対のパネルの屈折部が前記支柱部材に嵌合した状態で、前記一対のパネルおよび前記支柱部材並びに前記取付け部材の上部で、前記一対のパネルの各々の前記奥面部と、前記取付け部材と、を前記支柱部材を介して固定する
ことを特徴とする請求項２に記載の浴室壁パネルの連結構造。
【請求項４】
前記補強部材は、前記パネル、前記取付け部材、および前記支柱部材の上部に配置される上面部と、
前記上面部の前方側端部で垂下形成され、前記一対のパネルの前記屈折部内にそれぞれ配置された一対の前方側垂下部と、
前記上面部の後方側端部で垂下形成され、前記取り付け部材の前記支柱部材と逆側の面に配置された後方側垂下部と、
を備えたことを特徴とする請求項２または３に記載の浴室壁パネルの連結構造。
【請求項５】
前記補強部材の上面部には、上方側に突出した取手部が形成されていることを特徴とする請求項１〜４のいずれか１つに記載の浴室壁パネルの連結構造。
【請求項６】
前記補強部材は金属材料で形成されていることを特徴とする請求項１〜５のいずれか１つに記載の浴室壁パネルの連結構造。
【発明の詳細な説明】
【技術分野】
【０００１】
本発明は、ユニットバスに設けられる壁パネルを支持するための浴室壁パネルの連結構造に関する。
【背景技術】
【０００２】
従来、浴室の壁パネルを支持するには、取付け部材に固定される奥面部と、奥面部の両端の各々から取付け部材とは反対側に延出された側面部と、側面部の先端の各々を間に開口部が形成されるように内側に折返して成る折曲部と、を有する断面から形成された柱状の支柱部材の開口部に対して、一対の壁パネルの側縁部に形成された屈折部を差し込む方法を採用していた（特許文献１参照）。
【特許文献１】特開平９−５３２８６号公報
【特許文献２】特許２６４８０２３号公報
【発明の開示】
【発明が解決しようとする課題】
【０００３】
壁パネルの連結構造は、一対の壁パネルの屈折部を支柱部材に差し込みやすく、且つ差し込まれた壁パネルを強固に固定できることが好ましい。特許文献１に示す連結構造は、屈折部の弾性的な押圧を利用して壁パネルを支柱部材に嵌合固定するものであるため、さらに強固な固定を実現しようとすると、壁パネルの屈折部が差し込みにくくなるという問題が生じる。
【０００４】
本発明は上述の問題に鑑みてなされ、一対の壁パネルの屈折部を支柱部材の開口部に差し込みやすく、且つ差し込まれた壁パネルを強固に固定することのできるパネル連結構造を提供することを目的とする。
【課題を解決するための手段】
【０００５】
本発明の一態様によれば、浴室の一側壁を形成し、側縁に屈折部が形成される複数のパネルと、前記複数のパネルのうち、一対のパネルを支持する支柱部材と、を備える浴室壁パネルの連結構造であって、前記屈折部は、前記一対のパネルの各々が合わさる側面部と、前記側面部の奥側の先端から折り曲げられる奥面部と、を有し、前記一対のパネルが前記側面部で合わさる状態で、前記一対のパネルおよび前記支柱部材の上部で、前記一対のパネルの各々の前記奥面部と、前記支柱部材と、を固定する補強部材と、を備えたことを特徴とする浴室壁パネルの連結構造が提供される。
【発明の効果】
【０００６】
本発明によれば、一対の壁パネルの屈折部を支柱部材の開口部に差し込みやすく、且つ差し込まれた壁パネルを強固に固定することのできる浴室壁パネルの連結構造が提供される。
【発明を実施するための最良の形態】
【０００７】
以下、図面を参照し、本発明の実施形態について説明する。
【０００８】
浴室ユニットの壁面を構成する壁パネルの組立構法として、図５に示すように、浴室ユニット１０１の床パン１０２上の各コーナー部にコーナー支柱１０３を立設し、これらコーナー支柱１０３の内、隣接するコーナー支柱１０３，１０３の頂部間をコーナー支柱連結材（取付部材に相当）１０４で接続した後、コーナー支柱連結材１０４上のいずれかの箇所において、床パン１０２及びコーナー支柱連結材１０４間に一又は複数の平支柱１０５を架設することによりフレームを形成して、これらコーナー支柱１０３及び平支柱１０５間、又は平支柱１０５，１０５同士の間に壁パネル１０６を嵌合固定する構法が広く行われている。
【０００９】
図１は、本発明の実施形態に係る浴室壁パネルの取付構造を表す模式断面図である。
【００１０】
本発明の実施形態に係る浴室壁パネルの連結構造は、浴室内１０１で略面一に隣接する一組の壁パネル３０ａ、３０ｂに対して適用されるいわゆる平ジョイント部の連結構造である。壁パネル３０ａと壁パネル３０ｂとは、パネルジョイナー２０を介して支柱部材（平支柱）１０に対して取り付けられる。
【００１１】
支柱部材１０は、例えば長尺状の鋼板を折り曲げて中空柱状にした構造を有する。支柱部材１０は、壁パネル３０ａと壁パネル３０ｂとの隣接部の裏側（浴室１００とは反対側）で両壁パネル３０ａ、３０ｂに対して離間して位置する奥面部１１と、奥面部１１から壁パネル３０ａ、３０ｂの裏側に向けて延出し略平行に対向する一対の側面部１２と、それぞれの側面部１２の先端に続いて設けられて側面部１２の内側に折り曲げられた折曲部１３とを有し、これらは一体に形成されている。
【００１２】
一対の折曲部１３は、支柱部材１０の中空の内部に通じる開口５を隔てて互いに対向している。各折曲部１３は、開口５から支柱部材１０の内部に入り込んだ傾斜部１４を有する。傾斜部１４は、開口５側から支柱部材１０の内部に入るにしたがって徐々に側面部１２に近づくように傾斜している。
【００１３】
次に、パネルジョイナー２０について、図１に加えて、図２に表す斜視図も参照して説明する。
【００１４】
パネルジョイナー２０は、弾性変形可能な中硬質材からなる断面略「Ω」字状の長尺部材として構成され、第１面部２２、湾曲部（第１面部の両端の各々から取付け部材とは反対側に延出される第２面部、第２面部の先端の各々を間に開口部が形成されるように内側に折返して成る第３面部）２１およびウイング部２５を有する。パネルジョイナー２０の第１面部２２は、支柱部材１０の奥面部１１と壁パネル３０ａ、３０ｂとの間に位置し、その第１面部２２から壁パネル３０ａ、３０ｂ側に向けて延出して一対の湾曲部２１が設けられている。ウイング部２５は、湾曲部２１の先端から外側に延び、さらに壁パネル３０ａ、３０ｂから遠ざかる方向へと屈曲している。第１面部２２、湾曲部２１およびウイング部２５は一体に設けられている。
【００１５】
パネルジョイナー２０の奥面部２２において浴室１００に向けられる内側には、弾性変形可能な軟質材からなるシール部２６が設けられている。シール部２６は、浴室１００側の先端が２つに分かれた「Ｙ」字または「Ｖ」字状の断面形状を呈する。
【００１６】
壁パネル３０ａ、３０ｂは、例えば石膏等の裏打ち材３２で裏打ちされた表面材３１を有する。
【００１７】
表面材３１の側端部が、浴室１００に臨む面の反対面側に略「Ｊ」字状に折り曲げられることで、ばね性を有する突部３３が構成されている。突部３３は、表面材３１における浴室１００に臨む面に対して略直角に浴室１００の反対側に折り曲げられた側面部３４と、側面部３４の奥側の先端から内側に折り曲げられた奥面部３５と、奥面部３５の先端から表面材３１の裏面側に折り返された折返し部３６とからなる屈折部３９を備えている。
【００１８】
以上説明した支柱部材１０、パネルジョイナー２０および壁パネル３０ａ、３０ｂは、以下に説明するようにして互いに連結される。
【００１９】
支柱部材１０は、その開口５を浴室１００側に向けた状態で、壁パネル３０ａ、３０ｂが設置される位置に応じて、洗い場床、浴槽側床パンまたは浴槽リムなどの上に立設される。
【００２０】
パネルジョイナー２０の第１面部２２及び湾曲部２１は、支柱部材１０の開口５から支柱部材１０の内部に入り込み、ウイング部２５は支柱部材１０の折曲部１３の前端部から側面部１２にかけて部分を支柱部材１０の外側から囲むように係合する。
【００２１】
パネルジョイナー２０の第１面部２２は、支柱部材１０の内部で支柱部材１０の奥面部１１に対向する。湾曲部２１における凸部２３近傍部分は、支柱部材１０の折曲部１３の傾斜部１４の内面に弾接し、これにより、湾曲部２１は、支柱部材１０の内部で一対の折曲部１３間に嵌合した状態となる。
【００２２】
壁パネル３０ａ、３０ｂそれぞれの突部３３は、互いの側面部３４を向き合わせた状態で、パネルジョイナー２０の湾曲部２１の内側に嵌め込まれる。パネルジョイナー２０のシール部２６は２つに分かれた先端部分を自然状態から広げた状態で突部３３の奥面部３５に弾接する。すなわち、パネルジョイナー２０のシール部２６は、壁パネル３０ａ、３０ｂの突部３３が湾曲部２１の内側に挿入嵌合された際、弾発して突部３３をその挿入方向とは逆方向に弾性的に押圧し、これによって、突部３３の折返し部３６が、パネルジョイナー２０の湾曲部２１の内面に押し当てられ、壁パネル３０ａ、３０ｂはパネルジョイナー２０を介して支柱部材１０に対してしっかりと嵌合固定される。
【００２３】
シール部２６は防水性を有する材料からなり、そのシール部２６が壁パネル３０ａ、３０ｂの突部３３の奥面部３５に弾接密着することで、壁パネル３０ａ、３０ｂの裏側への湯水の漏れが防止される。
【００２４】
上述した支柱部材１０と壁パネル３０ａ、３０ｂとの嵌合により、壁パネル３０ａ、３０ｂを固定する形態において、さらに固定を強固にしようとすると、壁パネル３０ａ、３０ｂを支柱部材１０に差し込みにくくなる。この点に関して、本発明では、図３に示すような補強部材６０を、支柱部材１０の上端に装着させている。
【００２５】
補強部材６０は、隣接する一対の壁パネル３０ａ、３０ｂが、支柱部材１０に嵌合固定された状態で、一対の壁パネル３０ａ、３０ｂの屈折部３９の内部と、支柱連結材（取り付け部材）１０４における支柱部材１０と逆側の面とを挟み込むように着脱可能に取り付けられている。取り付けた状態において、補強部材は水平方向に移動できないように挟まれており、上方に対しては移動可能に取り付けられている。
【００２６】
さらに具体的に説明すると、補強部材６０は一対の壁パネル３０ａ、３０ｂ、支柱連結材（取付け部材）１０４、および支柱部材１０の上部に配置される上面部６２と、上面部６２の前方側端部で垂下形成され、一対の壁パネル３０ａ、３０ｂの屈折部３９内にそれぞれ挿入された一対の前方側垂下部６４と、上面部６２の後方側端部で垂下形成され、支柱連結材（取り付け部）１０４における支柱部材１０と逆側の面に当接するように配置された後方側垂下部６６とが一体的に形成された金属部材である。
【００２７】
壁パネル３０ａ、３０ｂが支柱部材１０に嵌合固定された状態で、一枚の壁パネル３０ａの鉛直方向および水平方向の中央部に浴室内側から外方側に向けて大きな荷重をかけた際、壁パネル３０ａが、若干撓むおそれがある。その際、壁パネル３０ａの中央は外方側に撓むとともに、壁パネル３０ａの上部と下部は浴室内方側に撓むこととなる。壁パネル３０ａが支柱部材１０から離れる方向に力が作用すると、壁パネル３０ａの嵌合が外れるおそれがある。
【００２８】
本発明によれば、壁パネル３０ａ上部に補強部材６０が装着されているため、壁パネル３０ａ上部、支柱部材１０、および支柱連結材（取り付け部）１０４の相対位置は、補強部材６０が破断しない限り変化しない。つまり、壁パネル３０ａの中央部に大きな荷重をかけた場合であっても、壁パネル３０ａは撓まなくなり、嵌合力を高めることが可能となった。
【００２９】
また、補強部材６０は、壁パネル３０ａ、３０ｂを支柱部材１０に嵌合した後に取り付けられるものであるため、壁パネル３０ａ、３０ｂの取り付けは従来と同じ負荷で済ませることができる。また、壁パネル３０ａ、３０ｂを取り外す際も、補強部材６０の装着を外した後に、壁パネル３０ａ、３０ｂと支柱部材１０の嵌合を外せば済むので、従来と同じ負荷で済ませることができる。
【００３０】
また、補強部材６０の上面部６２には、上方側に突出した取手部６９が形成されているため。上方の高い位置であっても、補強部材６０を落とすことなく、容易に取り付け、取り外しすることが可能となる。
【図面の簡単な説明】
【００３１】
【図１】本発明に係る浴室壁パネルの取付構造を表す模式断面図である。
【図２】図１に表すパネルジョイナーの要部の斜視図である。
【図３】本発明の補強部材を表す斜視図である。
【図４】本発明の補強部材が取り付けられた状態を表す斜視図である。
【図５】本発明にかかる浴室壁パネルを取り付けている状態を表す外観斜視図である。
【符号の説明】
【００３２】
５…開口、１０…支柱部材、１１…奥面部、１２…側面部、１３…折曲部、２０…パネルジョイナー、２１…湾曲部（第２面部、第３面部）、２２…第１面部、２５…ウイング部、３０ａ，３０ｂ…壁パネル、３１…表面材、３２…裏打ち材、６０…補強部材、６２上面部、６４…前方側垂下部、６６…後方側垂下部、６９…取手部、１００…浴室内空間、１０１…浴室ユニット、１０４…支柱連結材（取付け部材）、
【図１】
2010077687.tif 000003
【図２】
2010077687.tif 000004
【図３】
2010077687.tif 000005
【図４】
2010077687.tif 000006
【図５】
2010077687.tif 000007